(57)【要約】【課題】ベゼル領域を最小化することができる液晶レンズ及びこれを用いた立体映像表示装置を提供する。【解決手段】表示領域１０２に配置された第１及び第２レンズ電極１２０′、１２０″と、表示領域１０２の端に配置され、第１及び第２レンズ電極１２０′、１２０″と電気的に接続された複数のバスライン１３０と、複数のバスライン１３０と重畳されて複数のバスライン１３０と第１及び第２レンズ電極１２０′、１２０″を電気的に接続するコンタクト部１４０と、を含む。【選択図】図２
2015055870.tif 000002
【特許請求の範囲】
【請求項１】
表示領域に配置された第１及び第２レンズ電極と、
前記表示領域の端に配置され、前記第１及び第２レンズ電極と電気的に接続された複数のバスラインと
前記複数のバスラインと重畳されて前記複数のバスラインと前記第１及び第２レンズ電極とを電気的に接続するコンタクト部と、
を含むことを特徴とする液晶レンズ。
【請求項２】
前記コンタクト部は、前記第１レンズ電極と同一の層に形成される第１コンタクト部と、
前記第２レンズ電極と同一の層に形成される第２コンタクト部と、
を含むことを特徴とする請求項１に記載の液晶レンズ。
【請求項３】
前記第１及び第２コンタクト部は、前記複数のバスラインのうち、第１バスラインと接続されるコンタクト部を中心にその両側にジグザグ状で交互に配置されることを特徴とする請求項２に記載の液晶レンズ。
【請求項４】
前記コンタクト部は、前記第１及び第２レンズ電極と複数のバスラインを一対一で接続するコンタクトホールを含むことを特徴とする請求項１に記載の液晶レンズ。
【請求項５】
前記複数のバスラインのうち、第１バスラインを除いた残りのバスラインは前記コンタクト部と重畳される部分で段差構造からなることを特徴とする請求項１に記載の液晶レンズ。
【請求項６】
二次元映像信号を表示する表示パネルと、
前記表示パネル上に形成され、前記二次元映像信号を立体映像信号に変換する液晶レンズと、を含み、
前記液晶レンズは、表示領域に形成された第１及び第２レンズ電極と、前記表示領域の端に配置され、前記第１及び第２レンズ電極と接続された複数のバスライン及び前記複数のバスラインと重畳され、前記複数のバスラインと前記第１及び第２レンズ電極とを電気的に接続されるようにするコンタクト部を含むことを特徴とする立体映像表示装置。
【請求項７】
前記コンタクト部は、前記第１レンズ電極と同一の層に形成される第１コンタクト部と、
前記第２レンズ電極と同一の層に形成される第２コンタクト部と、
を含むことを特徴とする請求項６に記載の立体映像表示装置。
【請求項８】
前記第１及び第２コンタクト部は、前記複数のバスラインのうち、第１バスラインと接続されるコンタクト部を中心にその両側にジグザグ状で交互に配置されることを特徴とする請求項７に記載の立体映像表示装置。
【請求項９】
前記コンタクト部は、前記第１及び第２レンズ電極と複数のバスラインを一対一で接続するコンタクトホールを含むことを特徴とする請求項６記載の立体映像表示装置。
【請求項１０】
前記複数のバスラインのうち、第１バスラインを除いた残りのバスラインは前記コンタクト部と重畳される部分で段差構造からなることを特徴とする請求項６に記載の立体映像表示装置。
【発明の詳細な説明】
【技術分野】
【０００１】
本発明は、液晶レンズに関し、特にベゼル領域を最小化する液晶レンズラン及びこれを用いた立体映像表示装置に関する。
【背景技術】
【０００２】
情報化社会の発達に伴い、情報を表示することができる表示装置が活発に開発されている。表示装置は、液晶表示装置（Ｌｉｑｕｉｄ  ｃｒｙｓｔａｌ  ｄｉｓｐｌａｙ  ｄｅｖｉｃｅ）、有機電界発光表示装置（Ｏｒｇａｎｉｃ  ｅｌｅｃｔｒｏ−ｌｕｍｉｎｅｓｃｅｎｃｅ  ｄｉｓｐｌａｙ  ｄｅｖｉｃｅ）、プラズマ表示装置（Ｐｌａｓｍａ  ｄｉｓｐｌａｙ  ｐａｎｅｌ）及び電界放出表示装置（Ｆｉｅｌｄ  ｅｍｉｓｓｉｏｎ  ｄｉｓｐｌａｙ  ｄｅｖｉｃｅ）を含んでいる。さらに、最近は、消費者の立体映像に対する要求が日増しに増加している。
【０００３】
このような表示装置を利用して立体映像を実現するためには、立体映像を具現するための別途の装置が備えられなければならない。このような立体映像を実現するための装置の一つとして液晶レンズが提案された。一般的な液晶レンズは、表示装置から出力された映像を立体的に表示するための表示領域と、映像を表示しない非表示領域とに定義される。
【０００４】
表示領域には、複数のレンズユニットが配置されることができ、各レンズユニットは第１及び第２電極が交互に配置される下部基板と、第３電極が配置される上部基板及び二つの基板の間に形成された液晶層を含む。
【０００５】
非表示領域には、レンズユニットの第１及び第２電極と接続される複数のバスライン及び複数のバスラインの一側と接続され、第１及び第２電極に駆動電圧を提供するパッド部が配置される。この時、パッド部は第３電極にも駆動電圧を提供する。
【０００６】
第１ないし第３電極に互いに異なる駆動電圧が印加されると、レンズユニット内の下部基板及び上部基板の間の電界がレンズユニットの中央を中心に端に行くほど小さくなり、このような電界分布に沿って液晶層の液晶分子が駆動され、まるでレンズのような役目をすることになる。これにより、光の進行方向が制御されて立体映像が表示される。
【０００７】
一方、非表示領域に形成された複数のバスラインは、レンズユニットの第１及び第２電極と一対一で接続されるため、複数のバスラインの数は表示領域に配置される第１及び第２電極の数によって決定されうる。
【０００８】
表示領域に配置される第１及び第２電極の数が増加すると、第１及び第２電極と一対一で接続される複数のバスラインの数が増加することになり、複数のバスラインが配置される非表示領域の面積が増加する。
【０００９】
また、非表示領域の面積が増加するにつれて非表示領域を含むベゼル領域の全体面積が増加するようになって画面が実際のサイズよりも小さいように見えるという問題が発生する。
【先行技術文献】
【特許文献】
【００１０】
【特許文献１】特開２００８−９３７０号公報
【発明の概要】
【発明が解決しようとする課題】
【００１１】
したがって、本発明は上述した問題を解決するために案出されたもので、その目的は、ベゼル領域を最小化することができる液晶レンズ及びこれを用いた立体映像表示装置を提供することである。
【課題を解決するための手段】
【００１２】
上記のような目的を達成するための本発明の実施形態の特徴によれば、本発明は表示領域に配置された第１及び第２レンズ電極と、前記表示領域の端に配置され、前記第１及び第２レンズ電極と電気的に接続された複数のバスライン、及び前記複数のバスラインと重畳されて前記複数のバスラインと前記第１及び第２レンズ電極とを電気的に接続するコンタクト部を含む。前記コンタクト部は、前記第１レンズ電極と同一の層に形成される第１コンタクト部と前記第２レンズ電極と同一の層に形成される第２コンタクト部と、を含む。
【００１３】
また、前記第１及び第２コンタクト部は前記複数のバスラインのうち、第１バスラインと接続されるコンタクト部を中心にその両側にジグザグ状で交互に配置される。
【００１４】
また、前記コンタクト部は前記第１及び第２レンズ電極と複数のバスラインを一対一で接続するコンタクトホールを含む。
【００１５】
また、前記複数のバスラインのうち、第１バスラインを除いた残りのバスラインは前記コンタクト部と重畳される部分で段差構造からなる。
【００１６】
上記のような目的を達成するための本発明の他の実施形態の特徴によれば、本発明は、二次元映像信号を表示する表示パネルと、前記表示パネル上に形成され、前記二次元映像信号を立体映像信号に変換する液晶レンズと、を含み、前記液晶レンズは表示領域に形成された第１及び第２レンズ電極と、前記表示領域の端に配置され、前記第１及び第２レンズ電極と接続された複数のバスライン及び前記複数のバスラインと重畳され、前記複数のバスラインと前記第１及び第２レンズ電極とを電気的に接続するコンタクト部を含む。
【００１７】
また、前記コンタクト部は、前記第１レンズ電極と同一の層に形成される第１コンタクト部と、前記第２レンズ電極と同一の層に形成される第２コンタクト部と、を含む。
【００１８】
前記第１及び第２コンタクト部は、前記複数のバスラインのうち、第１バスラインと接続されるコンタクト部を中心にその両側にジグザグ状で交互に配置される。
【００１９】
また、前記コンタクト部は前記第１及び第２レンズ電極と複数のバスラインを一対一で接続するコンタクトホールを含む。
【００２０】
前記複数のバスラインのうち、第１バスラインを除いた残りのバスラインは前記コンタクト部と重畳される部分で段差構造からなる。
【発明の効果】
【００２１】
以上説明したように、本発明によれば、バスラインの幅を減らしてバスラインとコンタクトされるコンタクト部の構造をジグザグ状で配置し、それによってベゼル領域を最小化することができる。
【図面の簡単な説明】
【００２２】
【図１】本発明の第１実施形態による液晶レンズを示した図である。
【図２】図１のＡを拡大した図である。
【図３】図２の液晶レンズをＢ−Ｂ′線、Ｃ−Ｃ′線を基準として切り取った断面図である。
【図４】図１の液晶レンズを備えた立体映像表示装置を示した分解斜視図である。
【図５】本発明の第２実施形態による液晶レンズを示した図である。
【図６】図５のＤを拡大した図である。
【発明を実施するための形態】
【００２３】
以下、本発明の実施形態及びこれを説明するための図面を参照して本発明の実施形態による液晶レンズ及びこれを用いた立体映像表示装置について説明する。図１は、本発明の第１実施形態による液晶レンズを示した図、図２は図１のＡを拡大した図である。
【００２４】
図１及び図２を参照すると、本発明の第１実施形態による液晶レンズ１０１は、表示装置から出力された映像を立体的に表示するための表示領域１０２、及び映像を表示しない非表示領域１０３に区分される。
【００２５】
表示領域１０２には複数のレンズユニット１２０が配置されることができる。各レンズユニット１２０は、第１レンズ電極部１２０′と第２レンズ電極部１２０″とが交互に配置される下部基板と、第３レンズ電極（図示せず）が形成された上部基板及び二つの基板の間に形成された液晶層で構成される。
【００２６】
第３レンズ電極は、複数のレンズユニット１２０に共通に使用される共通電圧を印加するための共通電極であり、上部基板の全領域に配置される。
【００２７】
非表示領域１０３には、複数のバスライン１３０及び複数のバスライン１３０の一側に接続されたパッド部１１０が配置される。第１レンズ電極部１２０′は、互いに同一の層に形成される第２及び第３電極１２０ｂ、１２０ｃと第６及び第７電極１２０ｆ、１２０ｇとを含む。第２レンズ電極部１２０″は、同一の層に形成される第１電極１２０ａと、第４及び第５電極１２０ｄ、１２０ｅとを含む。結果的に、第１及び第２レンズ電極部１２０′、１２０″は、互いに異なる層に配置される。
【００２８】
レンズユニット１２０は、レンズユニット１２０の中央に配置された第１電極１２０ａを中心として第１電極１２０ａの両方向に行きながら、互いに異なる層で形成される電極１２０ｂ〜１２０ｇが交互に配置される構造を有する。すなわち、異なる層に形成される第１〜第７電極１２０ａ〜１２０ｇは、レンズユニット１２０内で交互に隣接するように配置される。また、第１及び第２レンズ電極部１２０′、１２０″の間の間隔はほぼゼロに近いほど非常に隣接するように配置される。
【００２９】
複数のバスライン１３０は、第１〜第７電極１２０ａ〜１２０ｇと一対一で接続される第１〜第７バスライン１３０ａ〜１３０ｇを含む。第１〜第７バスライン１３０ａ〜１３０ｇにはパッド部１１０を経由して相互に異なる駆動電圧が印加される。第１〜第７電極１２０ａ〜１２０ｇのそれぞれは、コンタクト部１４０を介して複数のバスライン１３０と電気的に接続される。したがって、パッド部１１０からバスライン１３０に印加された駆動電圧がコンタクト部１４０を介して第１〜第７電極１２０ａ〜１２０ｇに印加される。
【００３０】
コンタクト部１４０は、第１〜第７バスライン１３０ａ〜１３０ｇと対応する第１〜第７コンタクト部１４０ａ〜１４０ｇを含む。第１〜第７コンタクト部１４０ａ〜１４０ｇのそれぞれは、第１〜第７コンタクトホールｈ１〜ｈ７を備える。第１〜第７コンタクト部１４０ａ〜１４０ｇは、第１〜第７コンタクトホールｈ１〜ｈ７を介して対応する第１〜第７バスライン１３０ａ〜１３０ｇとそれぞれ電気的に接続される。これにより、第１〜第７バスライン１３０ａ〜１３０ｇは、第１〜第７コンタクト部１４０ａ〜１４０ｇを介して第１〜第７電極１２０ａ〜１２０ｇとそれぞれ電気的に接続される。
【００３１】
第１〜第７コンタクト部１４０ａ〜１４０ｇは、非表示領域１０３上で対応する第１〜第７バスライン１３０ａ〜１３０ｇとそれぞれ重畳される。非表示領域１０３で第１バスライン１３０ａと重畳される第１コンタクト部１４０ａを中心に、第１コンタクト部１４０ａの両側には第２及び第３コンタクト部１４０ｂ、１４０ｃがそれぞれ配置される。
【００３２】
第２コンタクト部１４０ｂの右側には第４コンタクト部１４０ｄが配置され、第３コンタクト部１４０ｃの左側には第５コンタクト部１４０ｅが配置される。第４コンタクト部１４０ｄの右側には第６コンタクト部１４０ｆが配置され、第５コンタクト部１４０ｅの左側には、第７コンタクト部１４０ｇが配置される。この時、隣接するコンタクト部１４０は互いに異なる層で形成される。
【００３３】
第１〜第７コンタクト部１４０ａ〜１４０ｇのそれぞれは、対応する第１〜第７電極１２０ａ〜１２０ｇと同一の層に同一の物質で形成することができる。また、第１〜第７電極１２０ａ〜１２０ｇとそれぞれ対応する第１〜第７コンタクト部１４０ａ〜１４０ｇは、第１コンタクト部１４０ａを中心に第１コンタクト部１４０ａの両側にジグザグ状で交互に配置することができる。
【００３４】
非表示領域１０３の面積を減らすために、第１〜第７バスライン１３０ａ〜１３０ｇは、工程のマージンを考慮した幅で設計されて少なくとも５μm以上の幅ｄ１を有することができる。これとともに、第１〜第７コンタクト部１４０ａ〜１４０ｇのそれぞれは、工程のマージンを考慮して１２μmの幅で設計され、対応する第１〜第７バスライン１３０ａ〜１３０ｇ上で一部が重畳されるか、又は重畳されない。
【００３５】
第２及び第３コンタクト部１４０ｂ、１４０ｃは、第２及び第３バスライン１３０ｂ、１３０ｃとそれぞれ重畳され、第２及び第３バスライン１３０ｂ、１３０ｃの間の間隔ｄ２は、５μm程度離隔されるように設計される。
【００３６】
第４及び第５コンタクト部１４０ｄ、１４０ｅは、第４及び第５バスライン１３０ｄ、１３０ｅとそれぞれ重畳され、第４及び第５バスライン１３０ｄ、１３０ｅの間の間隔ｄ２も５μm程度離隔されるように設計される。
【００３７】
第６及び第７コンタクト部１４０ｆ、１４０ｇは、対応する第６及び第７バスライン１３０ｆ、１３０ｇとそれぞれ重畳され、第６及び第７バスライン１３０ｆ、１３０ｇの間の間隔ｄ２も５μm程度離隔されるように設計される。すなわち、第１バスライン１３０ａを基準としてその下部に位置するバスライン１３０ｂ〜１３０ｇは、連続する偶数及び奇数番目（第２と第３、第４と第５、第６と第７）にあたる２本のバスライン間の間隔が５μm程度離隔されるように設計される。このとき、連続する偶数及び奇数番目にあたる２本のバスライン１３０は、同一の層に形成されるコンタクト部１４０とそれぞれ重畳される。
【００３８】
また、連続する奇数及び偶数番目（第１と第２、第３と第４、第５と第６）にあたる２本のバスライン１３０の間の間隔は、連続する偶数及び奇数番目にあたる２本のバスライン１３０の間の間隔ｄ２よりも広くなるように設計される。このとき、連続する奇数及び偶数番目にあたる２本のバスラインは、異なる層に形成されるコンタクト部１４０とそれぞれ重畳される。
【００３９】
例えば、異なる層に形成される第１及び第２コンタクト部１４０ａ、１４０ｂと、それぞれ重畳される第１及び第２バスライン１３０ａ、１３０ｂとの間の間隔は同一の層に形成される第２及び第３コンタクト部１４０ｂ、１４０ｃとそれぞれ重畳される第２及び第３バスライン１３０ｂ、１３０ｃとの間の間隔ｄ２よりも広く設計される。これは、バスライン１３０を少なくとも５μm以上の幅で設計するとき、異なる層に形成される隣接した２つのコンタクト部１４０が対応するバスライン１３０上で、それぞれ一定の幅ｄ３、１２μmを維持させるためである。このとき、異なる層に形成される隣接した２つのコンタクト部１４０は、工程マージンによって対応するバスライン１３０上で互いに重畳されていないか、または一部重畳されることができる。
【００４０】
したがって、連続する２本のバスライン１３０と接続され、異なる層に形成される２つのコンタクト部１４０は、ゼロに近いほど隣接するように配置され、２つのコンタクト部１４０それぞれの幅ｄ３が一定に維持されることができる。例えば、第１及び第２バスライン１３０ａ、１３０ｂの幅がそれぞれ５μmの程度で設計されるとき、異なる層に形成される第１及び第２コンタクト部１４０ａ、１４０ｂは、第１及び第２バスライン１３０ａ、１３０ｂ上でほぼゼロに近いほぼ隣接するように配置されてそれぞれの幅ｄ３を維持する。これにより、第１バスライン１３０ａから第２及び第３バスライン１３０ｂ、１３０ｃの間まで、その幅が２７μmになるように設計することができる。
【００４１】
同一の層に形成されて、連続する偶数及び奇数番目にあたる２本のバスライン１３０とそれぞれ重畳される２つのコンタクト部１４０の間の間隔は、対応する２本のバスライン１３０の間の間隔ｄ２と同一である。例えば、第２及び第３バスライン１３０ｂ、１３０ｃの幅がそれぞれ５μm程度で設計されるとき、同一の層に形成される第２及び第３コンタクト部１４０ｂ、１４０ｃは対応する第２及び第３バスライン１３０ｂ、１３０ｃ上でそれぞれの幅ｄ３を維持する。
【００４２】
したがって、連続する偶数及び奇数番目にあたる２本のバスライン１３０と接続され、同一の層に形成されるコンタクト部１４０もそれぞれの幅ｄ３を一定に維持することができる。結局、工程マージンを考慮してバスライン１３０を少なくとも５μm以上の幅で設計し、このようなバスライン１３０と対応するコンタクト部１４０を第１コンタクト部１４０ａを中心に非表示領域１０３でジグザグ形状を有するように配置することにより、非表示領域１０３の面積を減らして表示装置の全体のベゼル領域を最小化することができる。
【００４３】
図３は、図２の液晶レンズをＢ〜Ｂ′線、Ｃ〜Ｃ′線を基準として切り取った断面図である。図２及び図３を参照すると、液晶レンズ１０１は下部基板１５０と、上部基板１７０と、二枚の基板１５０、１７０の間に形成された液晶層１６０とを含む。
【００４４】
下部基板１５０は、第１基板１５１上に形成された第１及び第２バスライン１３０ａ、１３０ｂと第１及び第２バスライン１３０ａ、１３０ｂ上に形成された第１絶縁膜１５３を含む。
【００４５】
第１及び第２バスライン１３０ａ、１３０ｂは、モリブデンＭｏ、アルミニウムネオジウムＡｌＮｄ、タングステンＷのうちいずれか一つの金属を含む単一層または二つの金属を含む二重層からなることができる。
【００４６】
第１絶縁膜１５３は、有機物質や無機物質からなることができる。第１絶縁膜１５３は、互いに異なる有機物質や無機物質が複数の層でなることも可能である。
【００４７】
下部基板１５０は、第１絶縁膜１５３をパターニングして第２バスライン１３０ｂを露出させる第２コンタクトホールｈ２と、第２コンタクトホールｈ２が形成された第１基板１５１上に形成される第１レンズ電極部１２０′及び第２コンタクト部１４０ｂを含む。この時、第１レンズ電極部１２０′と第２コンタクト部１４０ｂは、同一の層で同一の材質で形成される。第１レンズ電極部１２０′は、透明な導電物質、例えばＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）からなることができる。
【００４８】
第２コンタクトホールｈ２を介して第２バスライン１３０ｂと第２コンタクト部１４０ｂが電気的に接続される。これにより、第２コンタクト部１４０ｂと対応される第１レンズ電極部１２０′の第２電極１２０ｂは、第２バスライン１３０ｂと電気的に接続される。
【００４９】
下部基板１５０は、第１レンズ電極部１２０′と第２コンタクト部１４０ｂ上に形成された第２絶縁膜１５５と、第２絶縁膜１５５をパターニングして第１バスライン１３０ａを露出させる第１コンタクトホールｈ１と、第１コンタクトホールｈ１が形成された第１基板１５１上に形成された第２レンズ電極部１２０″とをさらに含む。
【００５０】
第２絶縁膜１５５は、有機物質や無機物質からなることができる。第２絶縁膜１５５は、互いに異なる有機物質や無機物質が複数の層でなることも可能である。この時、第２レンズ電極部１２０″と、第１コンタクト部１４０ａは、同一の層で同一の材質で形成される。第２レンズ電極部１２０″は、透明な導電物質、例えば、ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、ＩＴＺＯ（Ｉｎｄｉｕｍ  Ｔｉｎ  Ｚｉｎｃ  Ｏｘｉｄｅ）からなることができる。
【００５１】
第１コンタクトホールｈ１を介して第１バスライン１３０ａと第１コンタクト部１４０ａは電気的に接続される。これにより、第１コンタクト部１４０ａと対応する第２レンズ電極部１２０″は、第１バスライン１３０ａと電気的に接続される。
【００５２】
一方、上部基板１７０には第２基板１７１の全領域に第３電極１７３が形成されることができる。第３電極１７３は透明な導電物質、例えば、ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、ＩＴＺＯ（Ｉｎｄｉｕｍ  Ｔｉｎ  Ｚｉｎｃ  Ｏｘｉｄｅ）からなることができる。
【００５３】
図４は、図１の液晶レンズを備えた立体映像表示装置を示した分解斜視図である。図１及び図４を参照すると、立体映像表示装置はレンズパネル１００と、表示パネルユニット３００及び光源ユニット４００を含む。
【００５４】
レンズパネル１００は、液晶レンズ１０１と電圧源とから駆動電圧の提供を受け、液晶レンズ１０１に駆動電圧を供給するパッド部１１０を含む。液晶レンズ１０１の非表示領域１０３にはパッド部１１０と接続される複数のバスライン１３０が形成され、表示領域１０２にはコンタクト部１４０を介して複数のバスライン１３０と接続されているレンズユニット１２０が形成される。
【００５５】
表示パネルユニット３００は、表示パネル３１０と第１及び第２駆動部３２０、３３０を含む。表示パネル３１０は、複数のデータラインＤＬ、複数のゲートラインＧＬが配列され、複数のデータラインＤＬ及びゲートラインＧＬによって定義される複数の画素Ｐを含む。
【００５６】
第１駆動部３２０は、データラインＤＬにデータ信号を出力し、第２駆動部３３０はゲートラインＧＬにゲート信号を出力する。
【００５７】
画素Ｐは、ゲート信号に応答してターンオンされるスイッチング素子ＴＦＴ及びスイッチング素子ＴＦＴを介してデータ信号を充電する液晶キャパシタを含む。液晶キャパシタは、画素電極、共通電極及び液晶層を含むことができる。
【００５８】
光源ユニット４００は、表示パネル３１０に光を提供する。光源ユニット４００は、グローバル調光（Ｄｉｍｍｉｎｇ）方式及びローカル調光方式など、多様な駆動方式で表示パネル３１０に光を提供することができる。このような立体映像表示装置の駆動方法は次のとおりである。
【００５９】
立体映像表示装置が２次元映像モードである場合、表示パネルユニット３００は表示パネル３１０に２次元映像を表示する。これに対応してレンズパネル１００は、液晶レンズ１０１をホワイトモードで動作する。ホワイトモードの液晶レンズ１０１は、表示パネル３１０を透過した光を屈折させずにそのまま透過させるように動作する。これにより、立体映像表示装置は２次元映像を表示することができる。
【００６０】
立体映像表示装置が３次元映像モードである場合、表示パネルユニット３００は、表示パネル３１０に３次元映像を表示する。つまり、表示パネル３１０に３次元映像に対応した多視点映像を表示する。これに対応してレンズパネル１００は、液晶レンズ１０１を屈折させて多視点映像をそれぞれの視点へ屈折させる。これにより、立体映像表示装置は３次元映像を表示することができる。
【００６１】
以上のように、本発明の第１実施形態によれば、液晶レンズ１０１の非表示領域１０３に配置されるバスライン１３０を少なくとも５μm以上の幅で設計し、異なる層に形成されるコンタクト部１４０を第１コンタクト部１４０ａを基準にその両側にジグザグ状で交互に配置させ、非表示領域１０３の面積が減少されることができる。結局、液晶レンズ１０１の非表示領域１０３の面積を減らし、液晶レンズ１０１を備えた映像表示装置の全体のベゼル領域を最小化することができる。
【００６２】
図５は、本発明の第２実施形態による液晶レンズを示した図、図６は、図５のＤを拡大した図である。この時、第１実施形態と同一の構成要素については同一の符号を付与し、上述した第１実施形態と重複する部分については説明を省略する。図５、図６を参照すると、本発明の第２実施形態による液晶レンズ１０１′は、表示領域１０２と非表示領域１０３に区分され、表示領域１０２には複数のレンズユニット２２０が配置されることができる。レンズユニット２２０は、互いに異なる層で形成された第１及び第２レンズ電極部２２０′、２２０″を含む。
【００６３】
第１レンズ電極部２２０′は、同一の層に形成された第２及び第３電極２２０ｂ、２２０ｃと、第６及び第７電極２２０ｆ、２２０ｇを含む。第２レンズ電極部２２０″は、同一の層で形成された第１電極２２０ａと、第４及び第５電極２２０ｄ、２２０ｅを含む。
【００６４】
レンズユニット２２０は、中央の第１電極２２０ａを中心に、端へ向かって第１及び第２レンズ電極部２２０、２２０″に含まれる電極２２０ａ〜２２０ｇが交互に配置される構造を有する。
【００６５】
非表示領域１０３には複数のバスライン２３０と、複数のバスライン２３０の一側に接続されたパッド部１１０と、レンズユニット２２０を複数のバスライン２３０に電気的に接続させるコンタクト部２４０が配置される。バスライン２３０は、第１及び第２レンズ電極部２２０′、２２０″のそれぞれに含まれた第１〜第７電極２２０ａ〜２２０ｇと一対一に接続される第１〜第７バスライン２３０ａ〜２３０ｇを含む。
【００６６】
コンタクト部２４０は、第１〜第７コンタクトホールｈ１〜ｈ７を介して第１〜第７バスライン２３０ａ〜２３０ｇと一対一に接続される第１〜第７コンタクト部２４０ａ〜２４０ｇを含む。
【００６７】
第１コンタクト部２４０ａは第１電極２２０ａと同一の層に同一の物質で形成され、第２コンタクト部２４０ｂは第２電極２２０ｂと同一の層に同一の物質で形成され、第３コンタクト部２４０ｃは第３電極２２０ｃと同一の層に同一の物質で形成され、第４コンタクト部２４０ｄは第４電極２２０ｄと同一の層に同一の物質で形成される。
【００６８】
第５コンタクト部２４０ｅは、第５電極２２０ｅと同一の層に同一の物質で形成され、第６コンタクト部２４０ｆは第６電極２２０ｆと同一の層に同一の物質で形成され、第７コンタクト部２４０ｇは、第７電極２２０ｇと同一の層に同一の物質で形成される。すなわち、第１コンタクト部２４０ａと第４及び第５コンタクト部２４０ｄ、２４０ｅは、互いに同一の層に形成される。第２及び第３コンタクト部２４０ｂ、２４０ｃと第６及び第７コンタクト部２４０ｆ、２４０ｇは、互いに同一の層に形成される。
【００６９】
非表示領域１０３上で第１コンタクトホールｈ１を介して第１バスライン２３０ａと接続される第１コンタクト部２４０ａの右側及び左側には、第２及び第３コンタクト部２４０ｂ、２４０ｃがそれぞれ配置される。
【００７０】
第２コンタクト部２４０ｂの右側には第４コンタクト部２４０ｄが配置され、第３コンタクト部２４０ｃの左側には第５コンタクト部２４０ｅが配置される。第４コンタクト部２４０ｄの右側には第６コンタクト部２４０ｆが配置され、第５コンタクト部２４０ｅの左側には、第７コンタクト部２４０ｇが配置される。このように、隣接するコンタクト部２４０は互いに異なる層に形成される。
【００７１】
非表示領域１０３のバスライン２３０上で互いに異なる層に形成されるコンタクト部２４０の各々は、第１コンタクト部２４０ａを中心に第１コンタクト部２４０ａの両側に交互に配置されたジグザグ形状を有する。
【００７２】
バスライン２３０のそれぞれは、非表示領域１０３の面積を減らすための工程マージンを考慮して少なくとも５μm以上の幅で設計され、バスライン２３０の間の間隔も５μm程度に設計される。例えば、第１コンタクトホールｈ１を介して第１コンタクト部２４０ａと接続される第１バスライン２３０ａの幅ｄ１は、第１コンタクト部２４０ａと異なる層に形成される第２コンタクト部２４０ｂと第２コンタクトホールｈ２を介して接続される第２バスライン２３０ｂの幅ｄ３と同一である。また、第１及び第２バスライン２３０ａ、２３０ｄの間の間隔ｄ２も５μm程度に設計される。
【００７３】
バスライン２３０のうち、第１コンタクトホールｈ１を介して第１コンタクト部２４０ａと接続される第１バスライン２３０ａを除いた第２〜第７バスライン２３０ｂ〜２３０ｇのそれぞれは、対応する第２〜第７コンタクト部２４０ｂ〜２４０ｇと重畳される部分において段差のある構造を有する。段差構造は、コンタクトホールｈを介してバスライン２３０と接続される電極２２０ａ〜２２０ｇを中心にバスライン２３０上で左/右対称をなす。例えば、第２バスライン２３０ｂの段差構造は、第２コンタクトホールｈ２を介して第２バスライン２３０ｂと接続される第２電極２２０ｂを中心に第２バスライン２３０ｂ上で左/右対称をなす。
【００７４】
第２〜第７バスライン２３０ｂ〜２３０ｇの段差部分に第２〜第７バスライン２３０ｂ〜２３０ｇのそれぞれと対応する第２〜第７コンタクト部２４０ｂ〜２４０ｇが位置する。
【００７５】
非表示領域１０３の面積を減らすために工程のマージンを考慮してバスライン２３０を少なくとも５μm以上の幅で設計する際に、第２〜第７バスライン２３０ｂ〜２３０ｇが第２〜第７コンタクト部２４０ｂ〜２４０ｇと重畳される部分において段差構造になって、コンタクト部２４０は互いに重畳されないか、一部重畳されつつ一定の幅を維持することができる。
【００７６】
第１コンタクトホールｈ１を介して第１バスライン２３０ａと接続される第１コンタクト部２４０ａの右側には、第１コンタクト部２４０ａと異なる層に形成される第２コンタクト部２４０ｂが第２バスライン２３０ｂの段差部分に重畳されて配置される。第１コンタクト部２４０ａの左側には、第１コンタクト部２４０ａと異なる層に形成される第３コンタクト部２４０ｃが第３バスライン２３０ｃの段差部分に重畳されて配置される。この時、第２及び第３コンタクト部２４０ｂ、２４０ｃは互いに同一の層に形成され、第１コンタクト部２４０ａを中心に第１コンタクト部２４０ａの両側にそれぞれ交互に配置される。
【００７７】
第２コンタクト部２４０ｂの右側には、第２コンタクト部２４０ｂと異なる層に形成される第４コンタクト部２４０ｄが第４バスライン２３０ｄの段差部分に重畳されて配置される。第３コンタクト部２４０ｃの左側には、第３コンタクト部２４０ｃと異なる層に形成される第５コンタクト部２４０ｅが第５バスライン２３０ｅの段差部分に重畳されて配置される。
【００７８】
第４コンタクト部２４０ｄの右側には、第４コンタクト部２４０ｄと異なる層に形成される第６コンタクト部２４０ｆが第６バスライン２３０ｆの段差部分に重畳されて配置される。第５コンタクト部２４０ｅの左側には、第５コンタクト部２４０ｅと異なる層に形成される第７コンタクト部２４０ｇが第７バスライン２３０ｇの段差部分に重畳されて配置される。このように、第１〜第７コンタクト部２４０ａ〜２４０ｇを含むコンタクト部２４０は、非表示領域１０３上で対応するバスライン２３０の段差部分に重畳され、第１コンタクト部２４０ａを中心に第１コンタクト部２４０ａの両側にジグザグ状で交互に配置される。
【００７９】
以上、説明したように、本発明の第２実施形態による液晶レンズ１０１′は、コンタクト部２４０と重畳される部分に段差があり、工程のマージンを考慮して少なくとも５μm以上の幅を有するようにバスライン２３０を設計する。
【００８０】
また、本発明の第２実施形態による液晶レンズ１０１′は、バスライン２３０の段差部分に重畳されつつ、第１コンタクト部２４０ａを中心にその両側に残りのコンタクト２４０ｂ〜２４０ｇがジグザグ状で交互に配置され、非表示領域１０３の面積を最小化することができる。これにより、液晶レンズ１０１′を備えた映像表示装置の全体のベゼル領域を最小化することができる。
【００８１】
以上説明したように、本発明の最も好ましい実施形態について説明したが、本発明は、上記記載に限定されるものではなく、特許請求の範囲に記載され、又は明細書に開示された発明の要旨に基づき、当業者において様々な変形や変更が可能なのはもちろんであり、斯かる変形や変更が、本発明の範囲に含まれることは言うまでもない。
【符号の説明】
【００８２】
１０１  液晶レンズ、
１０２  表示領域、
１０３  非表示領域、
１１０  パッド部、
１２０、２２０  レンズユニット、
１２０′、２２０′  第１レンズ電極部、
１２０″、２２０″  第２レンズ電極部、
１３０、２３０  バスライン、
１４０、２４０  コンタクト部、
１５０  下部基板、
１６０  液晶層、
１７０  上部基板
【図１】
2015055870.tif 000003
【図２】
2015055870.tif 000004
【図３】
2015055870.tif 000005
【図４】
2015055870.tif 000006
【図５】
2015055870.tif 000007
【図６】
2015055870.tif 000008